【手続補正書】
【提出日】平成17年12月14日(2005.12.14)
【手続補正１】
【補正対象書類名】特許請求の範囲
【補正対象項目名】全文
【補正方法】変更
【補正の内容】
【特許請求の範囲】
【請求項１】
携帯電話ネットワークの操作方法であって、
前記ネットワークは、当該ネットワークの少なくとも一つの携帯電話に対するまたはそのために作成される、呼出し、イベントまたはセッションを処理するためのプラットフォームと、前記処理を決定するために前記プラットフォームとやりとりを行う機能とを有し、
前記プラットフォームは、複数のコールハンドリング操作を実行することができ、
前記機能は、
ａ）前記呼出し、イベントまたはセッションに適用されるコールハンドリング操作を決定するステップと、
ｂ）前記プラットフォームが、前記呼出し、イベント、セッションにより要求される前記コールハンドリング操作を行うことができるか否かを判断するステップと、
ｃ）前記プラットフォームが、前記呼出し、イベントまたはセッションにより要求される前記コールハンドリング操作の少なくともいくつかを実行できる場合、前記機能において、前記コールハンドリング操作の少なくともいくつかを実行するために要求されるデータを決定するとともに前記プラットフォームが前記呼出し、イベントまたはセッションを処理できるよう前記コールハンドリング操作の少なくともいくつかの処理ステップのシーケンスを決定するステップと、
ｄ）前記コールハンドリング操作を前記データを使用して前記シーケンスの順序に従って実行することにより前記プラットフォームに前記呼出し、イベントまたはセッションを処理させるステップと、を実行すること
を特徴とする操作方法。
【請求項２】
請求項１に記載の操作方法であって、
前記機能はさらに、
ｅ）前記プラットフォームが前記呼出し、イベントまたはセッションを処理するために必要とするデータを収集するステップを実行すること
を特徴とする操作方法。
【請求項３】
請求項１または２に記載の操作方法であって、
前記機能はさらに、
ｆ）前記呼出し、イベント、セッション、または、プラットフォームのプロトコルを、当該プロトコルが前記プラットフォームにより処理可能なように変換するステップを実行すること
を特徴とする操作方法。
【請求項４】
携帯電話ネットワークの操作方法であって、
前記ネットワークは、当該ネットワークの少なくとも一つの携帯電話に対するまたはそのために作成される、呼出し、イベントまたはセッションを処理するための複数のプラットフォームと、前記処理を決定するために前記複数のプラットフォームとやりとりを行う機能とを有し、
前記機能は、サービスおよび/またはコールハンドリング操作を実行するために必要なデータを記憶し、前記操作方法は、
ａ）前記呼出し、イベントまたはセッションに適用される前記サービスおよび/またはコールハンドリング操作を前記機能において決定するステップと、
ｂ）前記複数のプラットフォームの中の第一のプラットフォームが前記サービスおよび/またはコールハンドリング操作を前記機能において実行可能であるか否かを判断するステップと、
ｃ）前記第一のプラットフォームが前記サービスまたはコールハンドリング操作の少なくともいくつかを実行可能であると前記機能が判断した場合、当該第一のプラットフォームに前記データを用いて前記呼出し、イベントまたはセッションを処理させるステップと、
ｄ）前記複数のプラットフォームの中の前記第一のプラットフォーム以外の他のプラットフォームであって、他のサービスまたはコールハンドリング操作を実行可能なプラットフォームを前記機能において決定するステップと、
ｅ）前記呼出し、イベントまたはセッションを前記他のプラットフォームに転送するステップと、
ｆ）前記他のサービスまたはコールハンドリング操作を前記他のプラットフォームで前記データを用いて実行するステップと、を備えること
を特徴とする操作方法。
【請求項５】
請求項４に記載の操作方法であって、
ｇ）前記第一のプラットフォームに前記データを記憶するために、前記第一のプラットフォームにおいて前記呼出し、イベントまたはセッションを受信した時、前記データであって前記サービスおよび/またはコールハンドリング操作を実行するために必要なデータを前記機能において収集するステップ、をさらに備えること
を特徴とする操作方法。
【請求項６】
請求項４または５記載の操作方法であって、
前記機能は、
ｈ）前記第一のおよび/または前記他のプラットフォームの、前記呼び出し、イベントまたはセッションのプロトコルを、当該プロトコルが前記第一のおよび/または前記他のプラットフォームにより処理可能なように変換するステップをさらに実行すること
を特徴とする操作方法。
【請求項７】
請求項４から６のいずれか１項記載の操作方法であって、
前記機能は、
ｉ）前記第一のまたは前記他のプラットフォームのいずれか一方または両方において前記呼出し、イベントまたはセッションを処理するために処理ステップのシーケンスが必要か否かを判断するステップ、をさらに実行するように構成されていること
を特徴とする操作方法。
【請求項８】
請求項７記載の操作方法であって、
前記処理ステップにシーケンスが必要であると前記機能が判断した場合、前記第一のおよび/または前記他のプラットフォームに当該処理ステップを当該シーケンスに従って実行させること
を特徴とする操作方法。
【請求項９】
携帯電話ネットワークの操作方法であって、
前記ネットワークは、当該ネットワークの少なくとも一つの携帯電話に対するまたはそのために作成される、呼出し、イベントまたはセッションを処理するための複数のプラットフォームと、前記処理を決定するために前記複数のプラットフォームとやりとりを行う機能とを有し、
前記操作方法は、
ａ）前記呼出し、イベントまたはセッションを前記複数のプラットフォームの中の第一のプラットフォームにおいて受信するステップと、
ｂ）前記呼出し、イベントまたはセッションに適用すべきサービスおよび/またはコールハンドリング操作を前記機能において決定するステップと、
ｃ）前記サービスおよび/またはコールハンドリング操作を実行するために必要なデータを前記機能において収集するステップと、
ｄ）前記第一のプラットフォームが前記サービスおよび/またはコールハンドリング操作を実行可能であるか否か判断するステップと、当該判断結果が否定的なものであった場合、
ｅ）前記複数のプラットフォームの中の前記第一のプラットフォーム以外のもう一つ別のプラットフォームであって当該サービスおよび／またはハンドリング操作を実行可能なプラットフォームへ前記呼出し、イベントまたはセッションを転送するステップと、
ｆ）前記もう一つ別のプラットフォームが前記サービスおよび/またはコールハンドリング操作を前記データを用いて実行できるように、前記機能から前記もう一つ別のプラットフォームへ前記データを転送するステップと、を備えること
を特徴とする操作方法。
【請求項１０】
請求項９記載の操作方法であって、
前記ステップｃ）は、
前記複数のプラットフォームの中の少なくともいくつかのプラットフォームからのデータをマージするステップと、
前記呼出し、イベントまたはセッションを処理するための共通のデータセットを形成するステップと、を含むこと
を特徴とする操作方法。
【請求項１１】
請求項９または１０記載の操作方法であって、
前記機能は、
ｇ）前記もう一つ別のプラットフォームの前記呼出し、イベントまたはセッションのプロトコルを、当該プロトコルが当該もう一つ別のプラットフォームによって実行可能なように変換するステップをさらに実行すること
を特徴とする操作方法。
【請求項１２】
請求項９から１１のいずれか１項記載の操作方法であって、
前記機能はさらに、
ｈ）前記もう一つ別のプラットフォームが前記呼出し、イベントまたはセッションを処理するために処理ステップのシーケンスが必要か否かを判断するステップを実行するよう構成されること
を特徴とする操作方法。
【請求項１３】
請求項１２記載の操作方法であって、
前記処理ステップのシーケンスが必要であると前記機能が判断した場合に、前記もう一つ別のプラットフォームに当該処理ステップを前記シーケンスに従って実行させること
を特徴とする操作方法。
【請求項１４】
呼出し、イベントまたはセッションを処理するための操作方法であって、
前記呼出し、イベントまたはセッションを表すデータの少なくとも一部を、最初のプロトコルから標準のプロトコルに変換する変換ステップと、
信号を切換装置に送信するとともに当該切換装置において前記呼出し、イベントまたはセッションを処理するトリガを生成する生成ステップと、
前記トリガに応答して前記呼出し、イベントまたはセッションを処理する処理ステップと、を備え、
前記処理ステップの処理は、前記データの前記少なくとも一部を前記最初のプロトコルまたはさらに別のプロトコルに変換するステップを含むこと
を特徴とする操作方法。
【請求項１５】
請求項１４に記載の操作方法であって、
前記トリガは、前記呼出し、イベントまたはセッションのサイズを決定させること
を特徴とする操作方法。
【請求項１６】
請求項１４または１５記載の操作方法であって、
前記ネットワークは、当該ネットワークの少なくとも一つの携帯電話に対するまたはそのために作成される、呼出し、イベントまたはセッションを処理するための少なくとも一つのプラットフォームと、当該処理を決定するために前記プラットフォームとやりとりを行う少なくとも一つの機能を有し、
前記呼出し、イベントまたはセッションの処理は、
ａ）当該呼出し、イベントまたはセッションに適用される、サービスおよび/またはコールハンドリング操作を決定するステップと、
ｂ）前記少なくとも一つのプラットフォームが、前記呼出し、イベント、セッションにより要求される前記サービスおよび/またはコールハンドリング操作を実行することができるか否かを判断するステップと、を実行する機能を含むこと
を特徴とする操作方法。
【請求項１７】
呼出し、イベントまたはセッションを処理するための、複数の携帯電話ネットワークの操作方法であって、
前記複数のネットワークの中の第一のネットワークにおいて、前記呼出し、イベントまたはセッションを表すデータの少なくとも一部を、最初のプロトコルから標準プロトコルへ変換し、
切換装置に対して信号を送信し、前記切換装置において、前記呼出し、イベントまたはセッションを処理するためにトリガを作成し、
前記データの前記少なくとも一部をさらに別のプロトコルに変換し、
前記トリガに応答して、前記呼出し、イベントまたはセッションが前記ネットワークの中の第二のネットワークにおいて処理されなければならないか否かを判断し、
前記呼出し、イベント、またはセッションを当該第二のネットワークに転送し、
当該呼出し、イベント、またはセッションを当該第二のネットワークにおいて処理すること
を特徴とする操作方法。
【請求項１８】
請求項１から１７いずれか１項記載の操作方法であって、
前記呼出し、イベントまたはセッションは、マルチメディアメッセージであること
を特徴とする操作方法。
【請求項１９】
携帯電話のネットワークであって、
前記ネットワークは、
当該ネットワークの少なくとも一つの携帯電話に対するまたはそのために作成される、呼出し、イベントまたはセッションを処理するためのプラットフォームと、
前記処理を決定するために前記プラットフォームとやりとりを行う機能と、を有し、
前記プラットフォームは、
複数のコールハンドリング操作を実行することができ、
前記機能は、
ａ）前記呼出し、イベントまたはセッションに適用されるコールハンドリング操作を決定し、
ｂ）前記プラットフォームが、前記呼出し、イベントまたはセッションにより要求される前記コールハンドリング操作を行うことができるか否かを判断し、
ｃ）前記プラットフォームが、前記呼出し、イベントまたはセッションにより要求される前記コールハンドリング操作の少なくともいくつかを実行できる場合、前記コールハンドリング操作の少なくともいくつかを実行するために要求されるデータを前記機能において決定するとともに前記プラットフォームが前記呼出し、イベントまたはセッションを処理できるよう前記コールハンドリング操作の少なくともいくつかの処理ステップのシーケンスを決定し、
ｄ）前記コールハンドリング操作を前記データを使用して前記シーケンスの順序に従って実行することにより前記プラットフォームに前記呼出し、イベントまたはセッションを処理させることを実行するよう構成されていること
を特徴とするネットワーク。
【請求項２０】
携帯電話のネットワークであって、
当該ネットワークの少なくとも一つの携帯電話に対するまたはそのために作成される、呼出し、イベントまたはセッションを処理するための複数のプラットフォームと、
前記処理を決定するために前記複数のプラットフォームとやりとりを行う機能と、を有し、
前記機能は、サービスおよび/またはコールハンドリング操作を実行するために必要なデータを記憶し、
前記ネットワークは、
ａ）前記呼出し、イベントまたはセッションに適用される前記サービスおよび/またはコールハンドリング操作を前記機能において決定するステップと、
ｂ）前記複数のプラットフォームの中の第一のプラットフォームが前記サービスおよび/またはコールハンドリング操作を前記機能において実行可能であるか否かを判断するステップと、
ｃ）前記第一のプラットフォームが前記サービスまたはコールハンドリング操作の少なくともいくつかを実行可能であると前記機能が判断した場合、当該第一のプラットフォームに前記データを用いて前記呼出しを処理させるステップと、
ｄ）前記複数のプラットフォームの中の前記第一のプラットフォーム以外の他のプラットフォームであって、他のサービスまたはコールハンドリング操作を実行可能なプラットフォームを前記機能において決定するステップと、
ｅ）前記呼出し、イベントまたはセッションを前記他のプラットフォームに転送するステップと、
ｆ）前記他のサービスまたはコールハンドリング操作を前記他のプラットフォームで前記データを用いて実行するステップと、を実行可能なように構成されていること
を特徴とするネットワーク。
【請求項２１】
携帯電話のネットワークであって、
当該ネットワークの少なくとも一つの携帯電話に対するまたはそのために作成される、呼出し、イベントまたはセッションを処理するための複数のプラットフォームと、
前記処理を決定するために前記複数のプラットフォームとやりとりを行う機能と、を有し、
前記ネットワークは、
ａ）前記呼出し、イベントまたはセッションを前記複数のプラットフォームの中の第一のプラットフォームにおいて受信するステップと、
ｂ）前記呼出し、イベントまたはセッションに適用すべきサービスおよび/またはコールハンドリング操作を前記機能において決定するステップと、
ｃ）前記サービスおよび/またはコールハンドリング操作を実行するために必要なデータを前記機能において収集するステップと、
ｄ）前記第一のプラットフォームが前記サービスおよび/またはコールハンドリング操作を実行可能であるか否か判断するステップと、当該判断結果が否定的なものであった場合、
ｅ）前記複数のプラットフォームの中の前記第一のプラットフォーム以外のもう一つ別のプラットフォームであって当該サービスおよび／またはハンドリング操作を実行可能なプラットフォームへ前記呼出し、イベントまたはセッションを転送するステップと、
ｆ）前記もう一つ別のプラットフォームが前記サービスおよび/またはコールハンドリング操作を前記データを用いて実行できるように、前記機能から前記もう一つ別のプラットフォームへ前記データを転送するステップと、が実行できるように構成されていること
を特徴とするネットワーク。
【請求項２２】
呼出し、イベントまたはセッションを処理するための携帯電話のネットワークであって、
前記呼出し、イベントまたはセッションを表すデータの少なくとも一部を、最初のプロトコルから標準のプロトコルに変換する装置と、
前記データの少なくとも一部を受信するとともに前記呼出しを処理するためのトリガ生成する切換装置と、
前記トリガに応答して前記呼出し、イベントまたはセッションを処理する処理手段と、を備え、
前記処理手段における処理は、前記データの前記少なくとも一部を前記最初のプロトコルまたはさらに別のプロトコルに変換することを含むこと
を特徴とするネットワーク。
【手続補正２】
【補正対象書類名】明細書
【補正対象項目名】００２９
【補正方法】変更
【補正の内容】
【００２９】
図１は、４つのネットワーク（またはサービスハンドリング）プラットフォームを特定している。すなわち、前払い制御機能（Prepaid Control Function）であるであるＰＣＦ１０、ロケーションレジスタ（サービスロケーションレジスタ：Service Location Register）であるＳＬＲ１２（これは、ＷＯ/ＧＢ９５/０２３５２において記載されるレジスタに対応するものであり、これはネットワークの複数のホームロケーションレジスタ（ＨＬＲｓ）の、対応する一つのレジスタに各電話番号を関連づける情報を含む。図１には図示せず）、ホームロケーションレジスタ制御機能（Home Location Register Control Function）であるＨＣＦ１３、呼出しに対応付けられる他のサービスを実行するための一般的なサービスプラットフォームを示すＳＣＦ１４、である。